(57)【要約】【課題】      取付け作業性を向上させた配電盤用部材のブラケットを提供することにある。【解決部】  配電盤の盤本体６に固定される固定部１に突部５を設け、盤本体６に所定の間隔で形成した複数の固定穴７における隣接する固定穴７の間隔と、固定部１に形成された貫通穴４と突部５との間隔とを一致させ、ボルト８を締め付けて盤本体６に固定するときに、突部５を盤本体６の固定穴７に引っ掛からせて、ブラケット１０が動かないようにした。【選択図】        図３
2005354771.tif 000002
【特許請求の範囲】
【請求項１】
配電盤に前記配電盤の部材を取り付ける配電盤用部材のブラケットにおいて、
前記配電盤に固定される固定部に、前記固定部を前記配電盤に固定させるとき前記固定部の位置ずれを防止する位置ずれ防止部を設けたことを特徴とする配電盤用部材のブラケット。
【請求項２】
前記配電盤に所定の間隔で形成した複数の固定穴における隣接する固定穴の間隔と、前記固定部に形成した貫通穴と前記位置ずれ防止部との間隔とが一致することを特徴とする請求項１に記載された配電盤用部材のブラケット。
【請求項３】
前記位置ずれ防止部は、前記配電盤側に凸となる突部である
ことを特徴とする請求項１または請求項２に記載された配電盤用部材のブラケット。
【請求項４】
前記突部の中央部が打ち抜かれている
ことを特徴とする請求項３に記載された配電盤用部材のブラケット。
【請求項５】
前記突部の大きさが前記固定穴の大きさと同じであり、かつ、その高さが前記配電盤に用いられる部材の厚さと同じである
ことを特徴とする請求項３または請求項４に記載された配電盤用部材のブラケット。
【請求項６】
前記位置ずれ防止部は、四角形の穴の一側部から前記配電盤側に延びる折り曲げ部である
ことを特徴とする請求項１または請求項２に記載された配電盤用部材のブラケット。
【請求項７】
前記折り曲げ部の幅が前記固定穴の直径と同じであり、かつ、その高さが前記配電盤に用いられる部材の厚さと同じである
ことを特徴とする請求項６に記載された配電盤用部材のブラケット。
【請求項８】
前記突部または前記折り曲げ部がプレス成型により形成された
ことを特徴とする請求項３乃至請求項７の何れかに記載された配電盤用部材のブラケット。
【請求項９】
前記位置ずれ防止部は、前記固定部を切り欠いて前記配電盤側に折り曲げた切欠折り曲げ部である
ことを特徴とする請求項１に記載された配電盤用部材のブラケット。
【請求項１０】
前記切欠折り曲げ部が、前記固定部の一側部側と前記一側部に対向する他側部側とにそれぞれ形成されている
ことを特徴とする請求項９に記載された配電盤用部材のブラケット。
【請求項１１】
前記位置ずれ防止部は、前記固定部の一側部を前記配電盤側に屈曲させた屈曲部である
ことを特徴とする請求項１または請求項２に記載された配電盤用部材のブラケット。
【発明の詳細な説明】
【技術分野】
【０００１】
本発明は、配電盤用部材のブラケットに関する。
【背景技術】
【０００２】
配電盤に前記配電盤の部材、例えば、前記配電盤の側板や後板、前記配電盤内に配置される電子機器などを取り付けたるために、部材取付け用の取付脚として配電盤用部材のブラケット（以下、ブラケットと略す）が必要となる。従来のブラケットの一例として、図２１に示すようなブラケット３０がある。このブラケット３０は、配電盤の底板または天井板として配置される盤本体３５に固定される固定部３１と、固定部３１の一側部３１ａから略垂直方向に延び、側板など（図示せず）がビス（図示せず）により取り付けられる取付部３２とを有する。固定部３１には、ボルト３６が貫通する貫通穴３３が形成されている。この貫通穴３３を貫通したボルト３６が盤本体３５に形成された固定穴３５ａに差し込まれ、このボルト３６にナット３７を螺合させることにより、ブラケット３０は盤本体３５に固定される。取付部３２には、前記ビスが貫通する取付け穴３４が形成されている。
【０００３】
上記取付脚の他の例として、下記特許文献１には、電気機器収納箱体の内機取付構造が開示されている。この電気機器収納箱体の内機取付構造では、取付金具の上面の略中央部に形成された挿通孔にボルトの頭部を挿通し、前記挿通孔の両端縁部に形成された略Ｕ字状の切欠孔より前記ボルトの軸部を突出させると共に、前記ボルトを固定するボルトサポータを挿通孔に嵌合して固定し、前記ボルトの軸部に他部材を固定させるようにしたものである。
【０００４】
【特許文献１】実用新案登録第２５８０９８６号
【発明の開示】
【発明が解決しようとする課題】
【０００５】
ボルト３６などで締め付けることにより上記ブラケット３０を配電盤の盤本体３５に取付けるとき、次の問題が発生する。
【０００６】
（１）ボルト３６等の締め付けにより、ブラケット３０も、ボルト３６等の締め付け方向、具体的には図２１（ｂ）における矢印Ａの方向に回転してしまう。このブラケット３０を所定の向きに取り付けるために、作業者がブラケット３０を所定の向きに保ちながら締め付け作業を行わなければならなかった。
【０００７】
（２）ブラケット３０の回転により、このブラケット３０と配電盤の盤本体３５とが互いに擦れて、ブラケット３０、および配電盤の盤本体３５の表面の処理材料、例えば塗料やめっき等に傷をつけたり、それらが剥がれたりするので、この傷などを補修する必要が生じていた。
【０００８】
上記特許文献１に記載された電気機器収納箱体の内機取付構造では、他部材を固定するときに、取付金具が回転することがないので、前記取付金具を所定の向きに保つ作業を行う必要がないものの、他部材を取り付ける作業が煩雑であるという問題がある。
【０００９】
そこで、本発明は、前述した問題に鑑み提案されたもので、取付け作業性を向上させた配電盤用部材のブラケットを提供することを目的とする。
【課題を解決するための手段】
【００１０】
上述した課題を解決する第１の発明に係る配電盤用部材のブラケットは、配電盤に前記配電盤の部材を取り付ける配電盤用部材のブラケットにおいて、前記配電盤に固定される固定部に、前記固定部を前記配電盤に固定させるとき前記固定部の位置ずれを防止する位置ずれ防止部を設けたことを特徴とする。
【００１１】
上述した課題を解決する第２の発明に係る配電盤用部材のブラケットは、第１の発明に記載された配電盤用部材のブラケットであって、前記配電盤に所定の間隔で形成した複数の固定穴における隣接する固定穴の間隔と、前記固定部に形成した貫通穴と前記位置ずれ防止部との間隔とが一致することを特徴とする。
【００１２】
上述した課題を解決する第３の発明に係る配電盤用部材のブラケットは、第１の発明または第２の発明に記載された配電盤用部材のブラケットであって、前記位置ずれ防止部が、前記配電盤側に凸となる突部であることを特徴とする。
【００１３】
上述した課題を解決する第４の発明に係る配電盤用部材のブラケットは、第３の発明に記載された配電盤用部材のブラケットであって、前記突部の中央部が打ち抜かれていることを特徴とする。
【００１４】
上述した課題を解決する第５の発明に係る配電盤用部材のブラケットは、第３の発明または第４の発明に記載された配電盤用部材のブラケットであって、前記突部の大きさが前記固定穴の大きさと同じであり、かつ、その高さが前記配電盤に用いられる部材の厚さと同じであることを特徴とする。
【００１５】
上述した課題を解決する第６の発明に係る配電盤用部材のブラケットは、第１の発明または第２の発明に記載された配電盤用部材のブラケットであって、前記位置ずれ防止部が、四角形の穴の一側部から前記配電盤側に延びる折り曲げ部であることを特徴とする。
【００１６】
上述した課題を解決する第７の発明に係る配電盤用部材のブラケットは、第６の発明に記載された配電盤用部材のブラケットであって、前記折り曲げ部の幅が前記固定穴の直径と同じであり、かつ、その高さが前記配電盤に用いられる部材の厚さと同じであることを特徴とする。
【００１７】
上述した課題を解決する第８の発明に係る配電盤用部材のブラケットは、第３の発明乃至第７の発明の何れかに記載された配電盤用部材のブラケットであって、前記突部または前記折り曲げ部がプレス成型により形成されたことを特徴とする。
【００１８】
上述した課題を解決する第９の発明に係る配電盤用部材のブラケットは、第１の発明に記載された配電盤用部材のブラケットであって、前記位置ずれ防止部が、前記固定部を切り欠いて前記配電盤側に折り曲げた切欠折り曲げ部であることを特徴とする。
【００１９】
上述した課題を解決する第１０の発明に係る配電盤用部材のブラケットは、第９の発明に記載された配電盤用部材のブラケットであって、前記切欠折り曲げ部が、前記固定部の一側部側と前記一側部に対向する他側部側とにそれぞれ形成されていることを特徴とする。
【００２０】
上述した課題を解決する第１１の発明に係る配電盤用部材のブラケットは、第１の発明または第２の発明に記載された配電盤用部材のブラケットであって、前記位置ずれ防止部が、前記固定部の一側部を前記配電盤側に屈曲させた屈曲部であることを特徴とする。
【発明の効果】
【００２１】
第１の発明に係る配電盤用部材のブラケットによれば、配電盤に前記配電盤の部材を取り付ける配電盤用部材のブラケットにおいて、前記配電盤に固定される固定部に、前記固定部を前記配電盤に固定させるとき前記固定部の位置ずれを防止する位置ずれ防止部を設けたことにより、前記固定部を前記配電盤に固定させるときに位置ずれが防止される。よって、前記固定部の位置ずれを防止する作業を行う必要がなくなり、前記配電盤用部材のブラケットを前記配電盤に取り付ける作業性が向上する。また、前記配電盤用部材のブラケットを前記配電盤に取り付ける際に、前記配電盤用部材のブラケットが位置ずれせず、前記配電盤用部材のブラケットと前記配電盤との擦れがないので、この擦れによる傷も前記配電盤用部材のブラケットおよび前記配電盤に生じなくなり、製品の品質が向上する。さらに、前記傷を補修する必要がないので、製造コストが低減されると共に、製品のリードタイムが短縮される。
【００２２】
第２の発明に係る配電盤用部材のブラケットによれば、第１の発明に記載された配電盤用部材のブラケットであって、前記配電盤に所定の間隔で形成した複数の固定穴における隣接する固定穴の間隔と、前記固定部に形成した貫通穴と前記位置ずれ防止部との間隔とが一致することにより、前記配電盤用部材のブラケットを前記配電盤に対して所定の向きに合わせ、前記位置ずれ防止部と前記配電盤の固定穴とを一致させるだけで、前記配電盤用部材のブラケットの貫通穴と前記配電盤の固定穴とが一致し、前記配電盤用部材のブラケットを位置決めする必要がないので、前記配電盤用部材のブラケットを前記配電盤に取り付ける作業性が向上する。
【００２３】
第３の発明に係る配電盤用部材のブラケットによれば、第１の発明または第２の発明に記載された配電盤用部材のブラケットであって、前記位置ずれ防止部が前記配電盤側に凸となる突部であることにより、前記突部が前記配電盤の固定穴に引っ掛かり、前記配電盤用部材のブラケットを前記配電盤に取り付ける際の位置ずれが防止される。よって、前記固定部の位置ずれを防止する作業を行う必要がなくなり、前記配電盤用部材のブラケットを前記配電盤に取り付ける作業性が向上する。
【００２４】
第４の発明に係る配電盤用部材のブラケットによれば、第３の発明に記載された配電盤用部材のブラケットであって、前記突部の中央部が打ち抜かれていることにより、前記突部の中央部が打ちぬかれて形成された縁部が前記配電盤の固定穴に接して引っ掛かり、前記配電盤用部材のブラケットを前記配電盤に取り付ける際の位置ずれが防止される。よって、前記固定部の位置ずれを防止する作業を行う必要がなくなり、前記配電盤用部材のブラケットを前記配電盤に取り付ける作業性が向上する。
【００２５】
第５の発明に係る配電盤用部材のブラケットによれば、第３の発明または第４の発明に記載された配電盤用部材のブラケットであって、前記突部の大きさが前記固定穴の大きさと同じであり、かつ、その高さが前記配電盤に用いられる部材の厚さと同じであることにより、前記配電盤用部材のブラケットを前記配電盤にボルトにより取り付ける際に、前記突部が前記配電盤の固定穴に接して引っ掛かり、前記配電盤用部材のブラケットを前記配電盤に取り付ける際の位置ずれがより確実に防止される。よって、前記固定部の位置ずれを防止する作業を行う必要がなくなり、前記配電盤用部材のブラケットを前記配電盤に取り付ける作業性が向上する。
【００２６】
第６の発明に係る配電盤用部材のブラケットによれば、第１の発明または第２の発明に記載された配電盤用部材のブラケットであって、前記位置ずれ防止部は、四角形の穴の一側部から前記配電盤側に延びる折り曲げ部であることにより、前記折り曲げ部が前記配電盤の固定穴に引っ掛かり、前記配電盤用部材のブラケットを前記配電盤に取り付ける際の位置ずれが防止される。よって、前記固定部の位置ずれを防止する作業を行う必要がなくなり、前記配電盤用部材のブラケットを前記配電盤に取り付ける作業性が向上する。
【００２７】
第７の発明に係る配電盤用部材のブラケットによれば、第６の発明に記載された配電盤用部材のブラケットであって、前記折り曲げ部の幅が前記固定穴の直径と同じであり、かつ、その高さが前記配電盤に用いられる部材の厚さと同じであることにより、前記配電盤用部材のブラケットを前記配電盤にボルトにより取り付ける際に、前記折り曲げ部が前記配電盤の固定穴に接して引っ掛かり、前記配電盤用部材のブラケットを前記配電盤に取り付ける際の位置ずれがより確実に防止される。よって、前記固定部の位置ずれを防止する作業を行う必要がなくなり、前記配電盤用部材のブラケットを前記配電盤に取り付ける作業性が向上する。
【００２８】
第８の発明に係る配電盤用部材のブラケットによれば、第３の発明乃至第７の発明の何れかに記載された配電盤用部材のブラケットであって、前記突部または前記折り曲げ部がプレス成型により形成されたことにより、前記突部または前記折り曲げ部を容易に製造することができ、製造コストの増加を抑制することができる。
【００２９】
第９の発明に係る配電盤用部材のブラケットによれば、第１の発明に記載された配電盤用部材のブラケットであって、前記位置ずれ防止部は、前記固定部を切り欠いて前記配電盤側に折り曲げた切欠折り曲げ部であることにより、前記切欠折り曲げ部が前記配電盤に引っ掛かり、前記配電盤用部材のブラケットを前記配電盤に取り付ける際の位置ずれが防止される。よって、前記固定部の位置ずれを防止する作業を行う必要がなくなり、前記配電盤用部材のブラケットを前記配電盤に取り付ける作業性が向上する。
【００３０】
第１０の発明に係る配電盤用部材のブラケットによれば、第９の発明に記載された配電盤用部材のブラケットであって、前記切欠折り曲げ部が、前記固定部の一側部側と前記一側部に対向する他側部側とにそれぞれ形成されていることにより、前記固定部の一側部側に形成された前記切欠折り曲げ部と、前記固定部の他側部側に形成された前記切欠折り曲げ部とが前記配電盤に接して引っ掛かり、前記配電盤用部材のブラケットを前記配電盤に取り付ける際の位置ずれがより確実に防止される。よって、前記固定部の位置ずれを防止する作業を行う必要がなくなり、前記配電盤用部材のブラケットを前記配電盤に取り付ける作業性が向上する。
【００３１】
第１１の発明に係る配電盤用部材のブラケットによれば、第１の発明または第２の発明に記載された配電盤用部材のブラケットであって、前記位置ずれ防止部は、前記固定部の一側部を前記配電盤側に屈曲させた屈曲部であることにより、前記屈曲部が前記配電盤の固定穴に接して引っ掛かり、前記配電盤用部材のブラケットを前記配電盤に取り付ける際の位置ずれが防止される。よって、前記固定部の位置ずれを防止する作業を行う必要がなくなり、前記配電盤用部材のブラケットを前記配電盤に取り付ける作業性が向上する。
【発明を実施するための最良の形態】
【００３２】
以下に、本発明に係る配電盤用部材のブラケットを実施するための最良の形態を実施例に基づき具体的に説明する。
【実施例１】
【００３３】
図１は、本発明の第１の実施例に係る配電盤用部材のブラケットの斜視図であり、図２は、図１におけるＩＩ−ＩＩ矢視断面図である。図３は、本発明の第１の実施例に係る配電盤用部材のブラケットの説明図であり、（ａ）は固定する前の状態、（ｂ）は固定した後の状態を示す。図４は、本発明の第１の実施例に係る配電盤用部材のブラケットを配電盤に固定した状態の断面図であり、図５はそれを固定した状態の配電盤の斜視図である。
【００３４】
本発明の第１の実施例に係る配電盤用部材のブラケットは、図１、図２、図３および図５に示す様に、配電盤２３の底板または天井板として配置される盤本体６に固定される固定部１と、固定部１の第一側部１ａから略垂直方向に延び、配電盤２３の部材がビス（図示せず）などにより取り付けられる取付部２とを有する。前記部材としては、例えば、配電盤２３の側板２４や後板（図示せず）、配電盤２３内に配置される操作盤（図示せず）などが挙げられる。取付部２には、前記ビスが貫通する取付け穴３が形成されている。固定部１には、回転して固定する固定手段であるボルト８が貫通する貫通穴４が形成されている。配電盤用部材のブラケット（以下、ブラケットと略す）１０の固定部１には、ボルト８により固定部１を配電盤の盤本体６に固定させるときに固定部１の位置ずれを防止する位置ずれ防止部である突部５がプレス成型により形成されている。よって、この突部５を容易に製造することができ、製造コストの増加を抑制することができる。突部５は、図４に示す様に、盤本体６側に凸となる形状である。なお、配電盤２３の正面には、図５に示す様に、開閉自在な正面扉２５が取り付けられている。
【００３５】
図３に示す様に、配電盤の盤本体６には、固定穴７が所定の間隔で複数形成されている。隣接する固定穴７の間隔と、ブラケット１０の貫通穴４と突部５との間隔とは一致している。よって、ブラケット１０を配電盤の盤本体６に対して所定の向きに合わせ、ブラケット１０の突部５と盤本体６の固定穴７とを一致させて配置させるだけで、ブラケット１０の貫通穴４と盤本体６の固定穴７とが一致し、ブラケット１０を位置決めする必要がないので、ブラケット１０を配電盤の盤本体６に取り付ける作業性が向上する。図４に示すように、突部５の大きさＳ1は、盤本体６の固定穴７の大きさｄ1と同じであり、その高さｈ1は、配電盤の盤本体６に用いられる部材の厚さｔ1と同じである。ブラケット１０を配電盤の盤本体６に対して所定の向きに合わせ、ブラケット１０の貫通穴４と盤本体６の固定穴７とを一致させて配置した状態で、ボルト８をブラケット１０の貫通穴４、および盤本体６の固定穴７に貫通させる。このボルト８にナット９を螺合させ、ボルト８を締め付けることにより、ブラケット１０が盤本体６に固定される。ボルト８を締め付けるとき、ブラケット１０の突部５が盤本体６の固定穴７に接して引っ掛かる。
【００３６】
よって、ボルト８の締め付け方向と反対方向への回転を止める作業、つまり位置ずれを防止する作業を行う必要がなくなり、ブラケット１０を配電盤の盤本体６に取り付ける作業性が向上する。また、ボルト８を締め付けてブラケット１０を配電盤の盤本体６に取り付ける際に、ブラケット１０が回転などによる位置ずれをせず、ブラケット１０と盤本体６との擦れがないので、この擦れによる傷がブラケット１０および盤本体６に生じなくなり、製品の品質が向上する。さらに、前記傷を補修する必要がないので、製造コストが低減されると共に、製品のリードタイムが短縮される。
【実施例２】
【００３７】
以下に、本発明の第２の実施例に係る配電盤用部材のブラケットについて、図を用いて具体的に説明する。第２の実施例に係る配電盤用部材のブラケットは、上述した第１の実施例に係る配電盤用部材のブラケットにおける突部の中央部を打ち抜いた形状である。第２の実施例に係る配電盤用部材のブラケットの固定部および取付部は、第１の実施例に係る配電盤用部材のブラケットの固定部および取付部と同じ構造を有するので、同一部材には同一符号を付記してその説明を省略する。
【００３８】
図６は、本発明の第２の実施例に係る配電盤用部材のブラケットの斜視図であり、図７は、その断面図であり、図８は、それを配電盤に固定した状態の断面図である。
【００３９】
本発明の第２の実施例に係る配電盤用部材のブラケットでは、図６、図７および図８に示す様に、配電盤の盤本体６側に凸となる突部１１の中央部がプレス成型により打ち抜かれて形成されている。この突部１１の中央部の近傍、具体的には、突部１１の中央部が打ち抜かれて形成された突部１１の縁部１１ａが、ボルト８により固定部１を配電盤の盤本体６に固定させるときに固定部１の位置ずれを防止する位置ずれ防止部に相当する。突部１１の中央部を容易に製造できるので、製造コストの増加を抑制することができる。この突部１１の中央部と貫通穴４との間隔と、配電盤の盤本体６の隣接する固定穴７の間隔とは、一致している。よって、ブラケット１２を配電盤の盤本体６に対して所定の向きに合わせ、ブラケット１２の突部１１の中央部と盤本体６の固定穴７とを一致させて配置するだけで、ブラケット１２の貫通穴４と盤本体６の固定穴７とが一致し、ブラケット１２を位置決めする必要がないので、ブラケット１２を配電盤の盤本体６に取り付ける作業性が向上する。縁部１１ａは、図８に示す様に、配電盤の盤本体６側に向かって折れ曲がっている。この突部１１の大きさＳ2は、盤本体６の固定穴７の大きさｄ1と同じであり、その縁部１１ａの高さｈ2は盤本体６に用いられる部材の厚さｔ1と同じである。
【００４０】
ブラケット１２を盤本体６に対して所定の向きに合わせ、ブラケット１２の貫通穴４と盤本体６の固定穴７とを一致させて配置した状態で、ボルト８をブラケット１２の貫通穴４、および盤本体６の固定穴７に貫通させる。このボルト８にナット９を螺合させ、ボルト８を締め付けることにより、ブラケット１２が盤本体６に固定される。ボルト８を締め付けるとき、ブラケット１２の突部１１の縁部１１ａが盤本体６の固定穴７に接して引っ掛かる。
【００４１】
したがって、本発明の第２の実施例に係る配電盤用部材のブラケット１２によれば、ブラケット１２を盤本体６に対して所定の向きに合わせ、貫通穴４を盤本体６の固定穴７に配置し、ボルト８で締め付けてブラケット１２を盤本体６に固定するときに、突部１１の縁部１１ａが固定穴７に接して引っ掛かるので、上記第１の実施例に係る配電盤用部材のブラケット１０と同様な作用効果を奏する。
【実施例３】
【００４２】
以下に、本発明の第３の実施例に係る配電盤用部材のブラケットについて、図を用いて具体的に説明する。第３の実施例に係る配電盤用部材のブラケットは、上述した第１の実施例に係る配電盤用部材のブラケットにおける突部の形状を変形したものである。第３の実施例に係る配電盤用部材のブラケットの固定部および取付部は、第１の実施例に係る配電盤用部材のブラケットの固定部および取付部と同じ構造を有するので、同一部材には同一符号を付記してその説明を省略する。
【００４３】
図９は、本発明の第３の実施例に係る配電盤用部材のブラケットの斜視図であり、図１０は、その断面図であり、図１１は、それを配電盤に固定した状態を示し、（ａ）はその断面図であり、（ｂ）はそれを上方から見た平面図である。
【００４４】
本発明の第３の実施例に係る配電盤用部材のブラケットでは、図９、図１０および図１１に示す様に、ボルト８により固定部１を配電盤の盤本体６に固定させるときに固定部１の位置ずれを防止する位置ずれ防止部である第一折り曲げ部１３ａが固定部１に形成されている。この第一折り曲げ部１３ａは、プレス成型により四角形状に打ち抜かれた第一位置決め穴１３の一側部１３ｂから盤本体６側に向かって折り曲げられて形成されている。よって、この第一折り曲げ部１３ａを容易に製造することができ、製造コストの増加を抑制することができる。なお、この第一位置決め穴１３の一側部１３ｂと固定部１の第三側部１ｃとは、平行である。この第一位置決め穴１３と貫通穴４との間隔と、配電盤の盤本体６の隣接する固定穴７の間隔とは、一致している。よって、ブラケット１４を配電盤の盤本体６に対して所定の向きに合わせ、ブラケット１４の第一位置決め穴１３と盤本体６の固定穴７とを一致させて配置するだけで、ブラケット１４の貫通穴４と盤本体６の固定穴７とが一致し、ブラケット１４を位置決めする必要がないので、ブラケット１４を配電盤の盤本体６に取り付ける作業性が向上する。図１１に示す様に、第一位置決め穴１３の一側部１３ｂの大きさ、具体的には第一折り曲げ部１３ａの幅ｗ1は、盤本体６の固定穴７の直径ｄ1と同じであり、その高さｈ3は盤本体６に用いられる部材の厚さｔ1と同じである。
【００４５】
ブラケット１４を盤本体６に対して所定の向きに合わせ、ブラケット１４の貫通穴４と盤本体６の固定穴７とを一致させて配置した状態で、ボルト８をブラケット１４の貫通穴４、および盤本体６の固定穴７に貫通させる。このボルト８にナット９を螺合させ、ボルト８を締め付けることにより、ブラケット１４が盤本体６に固定される。ボルト８を締め付けるとき、ブラケット１４の第一位置決め穴１３の第一折り曲げ部１３ａが盤本体６の固定穴７に接して引っ掛かる。
【００４６】
したがって、本発明の第３の実施例に係る配電盤用部材のブラケット１４によれば、ブラケット１４を配電盤の盤本体６に対して所定の向きに合わせ、ブラケット１４の貫通穴４を盤本体６の固定穴７に配置し、ボルト８で締め付けてブラケット１４を盤本体６に固定するときに、第一位置決め穴１３の第一折り曲げ部１３ａが固定穴７に接して引っ掛かるので、上記第１の実施例に係る配電盤用部材のブラケット１０と同様な作用効果を奏する。
【実施例４】
【００４７】
以下に、本発明の第４の実施例に係る配電盤用部材のブラケットについて、図を用いて具体的に説明する。第４の実施例に係る配電盤用部材のブラケットは、上述した第３の実施例に係る配電盤用部材のブラケットにおける第一折り曲げ部の位置を変えたものである。第４の実施例に係る配電盤用部材のブラケットの固定部および取付部は、第３の実施例に係る配電盤用部材のブラケットの固定部および取付部と同じ構造を有するので、同一部材には同一符号を付記してその説明を省略する。
【００４８】
図１２は、本発明の第４の実施例に係る配電盤用部材のブラケットの斜視図であり、図１３は、その断面図であり、図１４は、それを配電盤に固定した状態を示し、（ａ）はその断面図であり、（ｂ）はそれを上方から見た平面図である。
【００４９】
本発明の第４の実施例に係る配電盤用部材のブラケットでは、図１２および図１３に示す様に、ボルト（図示せず）により固定部１を配電盤の盤本体６（図１４参照）に固定させるときに固定部１の位置ずれを防止する位置ずれ防止部である第二折り曲げ部１５ａが固定部１に形成されている。この第二折り曲げ部１５ａは、プレス成型により四角形状に打ち抜かれた第二位置決め穴１５の一側部１５ｂに直行する他側部１５ｃから盤本体６側に向かって折り曲げられて形成されている。よって、この第二折り曲げ部１５ａを容易に製造することができるので、製造コストの増加を抑制することができる。なお、この第二位置決め穴１５の他側部１５ｃと固定部１の第一側部１ａとは、平行である。この第二位置決め穴１５と貫通穴４との間隔と、配電盤の盤本体６の隣接する固定穴７の間隔とは、一致している。よって、ブラケット１６を配電盤の盤本体６に対して所定の向きに合わせ、ブラケット１６の第二位置決め穴１５と盤本体６の固定穴７とを一致させて配置するだけで、ブラケット１６の貫通穴４と盤本体６の固定穴７とが一致し、ブラケット１６を位置決めする必要がないので、ブラケット１６を配電盤の盤本体６に取り付ける作業性が向上する。図１４に示す様に、第二位置決め穴１５の他側部１５ｃの大きさは、具体的には第二折り曲げ部１５ａの幅ｗ2は配電盤の盤本体６における固定穴７の直径ｄ1と同じであり、その高さｈ4は盤本体６に用いられる部材の厚さｔ1と同じである。
【００５０】
ブラケット１６を盤本体６に対して所定の向きに合わせ、ブラケット１６の貫通穴４と盤本体６の固定穴７とを一致させて配置した状態で、ボルト８をブラケット１６の貫通穴４、および盤本体６の固定穴７に貫通させる。ボルト８にナット（図示せず）を螺合させ、このボルト８を締め付けることにより、ブラケット１６が盤本体６に固定される。ボルト８を締め付けるとき、ブラケット１６の第二位置決め穴１５の第二折り曲げ部１５ａが盤本体６の固定穴７に接して引っ掛かる。
【００５１】
したがって、本発明の第４の実施例に係る配電盤用部材のブラケット１６によれば、ブラケット１６を盤本体６に対して所定の向きに合わせ、ブラケット１６の貫通穴４と盤本体６の固定穴７とを一致させて配置し、ボルト８で締め付けてブラケット１６を盤本体６に固定するときに、第二位置決め穴１５の第二折り曲げ部１５ａが固定穴７に接して引っ掛かるので、上記第１の実施例に係る配電盤用部材のブラケット１０と同様な作用効果を奏する。
【実施例５】
【００５２】
以下に、本発明の第５の実施例に係る配電盤用部材のブラケットについて、図を用いて具体的に説明する。第５の実施例に係る配電盤用部材のブラケットは、上述した第１の実施例に係る配電盤用部材のブラケットにおける位置ずれ防止部の形状を変形したものである。第５の実施例に係る配電盤用部材のブラケットの固定部および取付部は、第１の実施例に係る配電盤用部材のブラケットの固定部および取付部と同じ構造を有するので、同一部材には同一符号を付記してその説明を省略する。
【００５３】
図１５は、本発明の第５の実施例に係る配電盤用部材のブラケットの斜視図であり、図１６は、それを配電盤に固定した状態を示し、（ａ）はその断面図であり、（ｂ）はそれを上方から見た平面図である。
【００５４】
本発明の第５の実施例に係る配電盤用部材のブラケットでは、図１５および図１６に示す様に、ボルト８により固定部１を配電盤の盤本体６に固定させるときに固定部１の位置ずれを防止する位置ずれ防止部である第一切欠折り曲げ部１７が固定部１に形成されている。この第一切欠折り曲げ部１７は、固定部１の第三側部１ｃに対向する第四側部１ｄ側を切り欠いて、盤本体６側に向かって折り曲げた形状である。この第一切欠折り曲げ部１７の高さｈ5は、盤本体６に用いられる部材の厚さｔ1と同じである。
【００５５】
ブラケット１８を盤本体６に対して所定の向きに合わせ、ブラケット１８の貫通穴４と盤本体６の固定穴７とを一致させて配置した状態で、ボルト８をブラケット１８の貫通穴４、および盤本体６の固定穴７に貫通させる。ボルト８にナット９を螺合させ、このボルト８を締め付けることにより、ブラケット１８が盤本体６に固定される。ボルト８を締め付けるとき、ブラケット１８の第一切欠折り曲げ部１７が盤本体６の一側部６ａに接して引っ掛かる。
【００５６】
したがって、本発明の第４の実施例に係る配電盤用部材のブラケット１８によれば、ブラケット１８を盤本体６に対して所定の向きに合わせ、ブラケット１８の貫通穴４と盤本体６の固定穴７とを一致させて配置し、ボルト８で締め付けてブラケット１８を盤本体６に固定するときに、第一切欠折り曲げ部１７が盤本体６の一側部６ａに接して引っ掛かるので、上記第１の実施例に係る配電盤用部材のブラケット１０と同様な作用効果を奏する。
【実施例６】
【００５７】
以下に、本発明の第６の実施例に係る配電盤用部材のブラケットについて、図を用いて具体的に説明する。第６の実施例に係る配電盤用部材のブラケットは、上述した第５の実施例に係る配電盤用部材のブラケットの固定部に形成される第一切欠折り曲げ部の数を増やしたものである。第６の実施例に係る配電盤用部材のブラケットの固定部および取付部は、第５の実施例に係る配電盤用部材のブラケットの固定部および取付部と同じ構造を有するので、同一部材には同一符号を付記してその説明を省略する。
【００５８】
図１７は、本発明の第６の実施例に係る配電盤用部材のブラケットの斜視図であり、図１８は、それを配電盤に固定した状態を示し、（ａ）はその断面図であり、（ｂ）はそれを上方から見た平面図である。
【００５９】
本発明の第６の実施例に係る配電盤用部材のブラケットでは、図１７および図１８に示す様に、ボルト８により固定部１を配電盤の盤本体６に固定させるときに固定部１の位置ずれを防止する位置ずれ防止部として、第一切欠折り曲げ部１７と第二切欠折り曲げ部１９とが固定部１にそれぞれ形成されている。第二切欠折り曲げ部１９は、図１８に示す様に、固定部１の第三側部１ｃ側を切り欠いて、盤本体６側に向かって折り曲げた形状である。この第二切欠折り曲げ部１９の高さｈ6は、盤本体６に用いられる部材の厚さｔ1と同じである。
【００６０】
ブラケット２０を盤本体６に対して所定の向きに合わせ、ブラケット２０の貫通穴４と盤本体６の固定穴７とを一致させて配置した状態で、ボルト８をブラケット１８の貫通穴４、および盤本体６の固定穴７に貫通させる。ボルト８にナット９を螺合させ、このボルト８を締め付けることにより、ブラケット２０が盤本体６に固定される。ボルト８を締め付けるとき、ブラケット２０の第一切欠折り曲げ部１７および第二切欠折り曲げ部１９が盤本体６の一側部６ａに接して引っ掛かる。
【００６１】
したがって、本発明の第４の実施例に係る配電盤用部材のブラケット２０によれば、ブラケット２０を盤本体６に対して所定の向きに合わせ、ブラケット２０の貫通穴４と盤本体６の固定穴７とを一致させて配置し、ボルト８で締め付けてブラケット２０を盤本体６に固定するときに、第一切欠折り曲げ部１７および第二切欠折り曲げ部１９が盤本体６の一側部６ａに接して引っ掛かるので、上記第５の実施例に係る配電盤用部材のブラケット１８と同様な作用効果を奏する。
【実施例７】
【００６２】
以下に、本発明の第７の実施例に係る配電盤用部材のブラケットについて、図を用いて具体的に説明する。第７の実施例に係る配電盤用部材のブラケットは、上述した第５の実施例に係る配電盤用部材のブラケットにおける第一切欠折り曲げ部の位置を変えたものである。第７の実施例に係る配電盤用部材のブラケットの固定部および取付部は、第５の実施例に係る配電盤用部材のブラケットの固定部および取付部と同じ構造を有するので、同一部材には同一符号を付記してその説明を省略する。
【００６３】
図１９は、本発明の第７の実施例に係る配電盤用部材のブラケットの斜視図であり、図２０は、それを配電盤に固定した状態を示し、（ａ）はその断面図であり、（ｂ）はそれを上方から見た平面図である。
【００６４】
本発明の第７の実施例に係る配電盤用部材のブラケットでは、図１９に示すように、ボルト８（図２０参照）により固定部１を配電盤の盤本体６（図２０参照）に固定させるときに固定部１の位置ずれを防止する位置ずれ防止部である屈曲部２１が固定部１の第四側部１ｄに形成されている。この屈曲部２１は、図２０に示す様に、盤本体６側に向かって固定部１の第四側部１ｄ側を屈曲させた形状である。屈曲部２１の幅ｗ3は配電盤の盤本体６における固定穴７の直径ｄ1と同じであり、その高さｈ7は盤本体６に用いられる部材の厚さｔ1と同じである。
【００６５】
ブラケット２２を盤本体６に対して所定の向きに合わせ、ブラケット２２の貫通穴４と盤本体６の固定穴７とを一致させて配置した状態で、ボルト８をブラケット２２の貫通穴４、および盤本体６の固定穴７に貫通させる。ボルト８にナット（図示せず）を螺合させ、このボルト８を締め付けることにより、ブラケット２２が盤本体６に固定される。ボルト８を締め付けるとき、ブラケット２２の屈曲部２１が盤本体６の固定穴７に接して引っ掛かる。
【００６６】
したがって、本発明の第７の実施例に係る配電盤用部材のブラケット２２によれば、ブラケット２２を盤本体６に対して所定の向きに合わせ、ブラケット２２の貫通穴４と盤本体６の固定穴７とを一致させて配置し、ボルト８で締め付けてブラケット２２を盤本体６に固定するときに、屈曲部２１が盤本体６の固定穴７に接して引っ掛かるので、上記第５の実施例に係る配電盤用部材のブラケット１８と同様な作用効果を奏する。
【図面の簡単な説明】
【００６７】
【図１】本発明の第１の実施例に係る配電盤用部材のブラケットの斜視図である。
【図２】図１におけるＩＩ−ＩＩ矢視断面図である。
【図３】本発明の第１の実施例に係る配電盤用部材のブラケットの説明図であり、（ａ）は固定する前の状態、（ｂ）は固定した後の状態を示す。
【図４】本発明の第１の実施例に係る配電盤用部材のブラケットを配電盤に固定した状態の断面図である。
【図５】本発明の第１の実施例に係る配電盤用部材のブラケットを配電盤に固定した状態の配電盤の斜視図である。
【図６】本発明の第２の実施例に係る配電盤用部材のブラケットの斜視図である。
【図７】本発明の第２の実施例に係る配電盤用部材のブラケットの断面図である。
【図８】本発明の第２の実施例に係る配電盤用部材のブラケットを配電盤に固定した状態の断面図である。
【図９】本発明の第３の実施例に係る配電盤用部材のブラケットの斜視図である。
【図１０】本発明の第３の実施例に係る配電盤用部材のブラケットの断面図である。
【図１１】本発明の第３の実施例に係る配電盤用部材のブラケットを配電盤に固定した状態を示し、（ａ）はその断面図であり、（ｂ）はそれを上方から見た平面図である。
【図１２】本発明の第４の実施例に係る配電盤用部材のブラケットの斜視図である。
【図１３】本発明の第４の実施例に係る配電盤用部材のブラケットの断面図である。
【図１４】本発明の第４の実施例に係る配電盤用部材のブラケットを配電盤に固定した状態を示し、（ａ）はその断面図であり、（ｂ）はそれを上方から見た平面図である。
【図１５】本発明の第５の実施例に係る配電盤用部材のブラケットの斜視図である。
【図１６】本発明の第５の実施例に係る配電盤用部材のブラケットを配電盤に固定した状態を示し、（ａ）はその断面図であり、（ｂ）はそれを上方から見た平面図である。
【図１７】本発明の第６の実施例に係る配電盤用部材のブラケットの斜視図である。
【図１８】本発明の第６の実施例に係る配電盤用部材のブラケットを配電盤に固定した状態を示し、（ａ）はその断面図であり、（ｂ）はそれを上方から見た平面図である。
【図１９】本発明の第７の実施例に係る配電盤用部材のブラケットの斜視図である。
【図２０】本発明の第７の実施例に係る配電盤用部材のブラケットを配電盤に固定した状態を示し、（ａ）はその断面図であり、（ｂ）はそれを上方から見た平面図である。
【図２１】従来の配電盤用部材のブラケットの説明図であり、（ａ）は固定する前の状態、（ｂ）は固定した後の状態を示す。
【符号の説明】
【００６８】
１      固定部
２      取付部
３      取付け穴
４      貫通穴
５      突部
６      盤本体
７      固定穴
８      ボルト
９      ナット
１０    配電盤用部材のブラケット
【図１】
2005354771.tif 000003
【図２】
2005354771.tif 000004
【図３】
2005354771.tif 000005
【図４】
2005354771.tif 000006
【図５】
2005354771.tif 000007
【図６】
2005354771.tif 000008
【図７】
2005354771.tif 000009
【図８】
2005354771.tif 000010
【図９】
2005354771.tif 000011
【図１０】
2005354771.tif 000012
【図１１】
2005354771.tif 000013
【図１２】
2005354771.tif 000014
【図１３】
2005354771.tif 000015
【図１４】
2005354771.tif 000016
【図１５】
2005354771.tif 000017
【図１６】
2005354771.tif 000018
【図１７】
2005354771.tif 000019
【図１８】
2005354771.tif 000020
【図１９】
2005354771.tif 000021
【図２０】
2005354771.tif 000022
【図２１】
2005354771.tif 000023